(57)【要約】【課題】  本考案はリクライニング機構に内在する安全性の問題を可及的に解決することを課題とする。【解決手段】  本考案は、支持アーム（３）を回動可能に取り付けた第１プレート（１）と、第１プレートに回動軸を介して回動可能に取り付けられ、支持アーム（３）を係止する係止軸（２３）を有する第２プレート（２）とからなるリクライニング装置であって、第１プレートの後側部（１１ｂ）と第２プレートの前側部（２１ａ）とが、軸方向に向かい合うと共に、第２プレート（２）の前端辺（２１ｈ）が第１プレートの後端辺（１１ｈ）よりも前方に位置する状態で連結したことを特徴とするリクライニング装置である【選択図】        図１
0003123151.tif 000002
【実用新案登録請求の範囲】
【請求項１】
支持アーム（３）を回動可能に取り付けた第１プレート（１）と、第１プレートに回動軸（４）を介して回動可能に取り付けられ、支持アーム（３）によって所定の角度に支持される第２プレート（２）とからなるリクライニング装置であって、第１プレートの後側部（１１ｂ）と第２プレートの前側部（２１ａ）とが前記軸（４）方向に対向したことを特徴とするリクライニング装置。
【請求項２】
支持アーム（３）を回動可能に取り付けた第１プレート（１）と、第１プレートに回動軸（４）を介して回動可能に取り付けられ、支持アーム（３）によって所定の角度に支持される第２プレート（２）とからなるリクライニング装置であって、第１プレートの後側部（１１ｂ）と第２プレートの前側部（２１ａ）とが回動軸（４）方向に対向すると共に、第２プレート（２）の前端辺（２１ｈ）が第１プレートの後端辺（１１ｈ）よりも前方に位置する状態で連結し、第１プレートの後側部（１１ｂ）の下隅部（１１ｆ）と第２プレートの前側部（２１ａ）の下隅部（２１ｆ）を円弧状に形成したことを特徴とするリクライニング装置。
【請求項３】
前記支持アーム（３）が屈曲部を有することを特徴とする請求項１又は２記載のリクライニング装置。
【考案の詳細な説明】
【技術分野】
【０００１】
本考案はソファーやベッドなどに用いられるリクライニング機構に関する。
【背景技術】
【０００２】
ベッドやソファーの角度を調節するためのリクライニング機構として、たとえば、後述の特許文献１のようにリンク機構を用いたものが存在する。リンク機構は手を挟み易く安全上の問題があるので、リンク機構全体を硬質のケースで覆ったものである。しかし、硬質のケースはソファーやベッドのような「柔さ」が求められる製品に適合するものではない。
【０００３】
また、他のリクライニング機構として、図５および６に示す構造が考えられる。
すなわち、第１プレート（５１）と第２プレート（５２）とからなり、第１プレート（５１）内の下側に軸（５６）が形成され、軸（５６）を介して支持アーム（５４）が回動可能に取り付けられたリクライニング機構である。支持アーム（５４）はバネ（５５）によって図中反時計回り方向に付勢されており、第２プレート（５２）内の下側には固定軸（５３）が形成され、固定軸（５３）上に支持アーム（５４）の基部付近が載置されている。そして、第１プレート（５１）の後端辺（５１ａ）と第２プレート（５２）の前端辺（５２ａ）の間には距離（Ｌ）が形成されている。なお、支持アーム（５４）の先端側は公知のラチェット機構である。
【０００４】
初期状態を示す図５から所定の角度を有する状態を示す図６へと移行すると、第１プレート（５１）の後端辺（５１ａ）と第２プレート（５２）の前端辺（５２ａ）との距離（Ｌ）が広がって空間（Ｓ）を形成する。この状態では、使用者の操作時において、使用者の手や指が空間（Ｓ）に手や指などが入り込む可能性が高く、よって、図６の角度状態から図５の初期状態に移行したときに、指や手などを挟みこんで怪我をする危険性が高い。
【特許文献１】特開２００１−３２１２７９
【考案の開示】
【考案が解決しようとする課題】
【０００５】
そこで、本考案はリクライニング機構に内在する安全性の問題を可及的に解決することを課題とする。
【課題を解決するための手段】
【０００６】
本考案は、支持アーム（３）を回動可能に取り付けた第１プレート（１）と、第１プレートに回動軸（４）を介して回動可能に取り付けられ、支持アーム（３）によって所定の角度に支持される第２プレート（２）とからなるリクライニング装置であって、第１プレートの後側部（１１ｂ）と第２プレートの前側部（２１ａ）とが前記軸（４）方向に対向したことを特徴とするリクライニング装置である。
【０００７】
本考案は、第１プレート（１）の後側部（１１ｂ）と第２プレート（２）の前側部（２１ａ）とが軸方向に対向して向かい合うことによって、初期状態から所定の角度を有する状態に移行したときでも、第２プレート（２）の前側部（２１ａ）の一部が常に第１プレート（１）の後側部（１１ｂ）と対向するため、従来技術に比較して、両者が対向しない空間（ＣＳ）が小さくなる。
【０００８】
つまり、本考案に係るリクライニング装置の初期状態を示す図１において、第１プレート（１）の後側部（１１ｂ）と第２プレート（２）の前側部（２１ａ）とが軸（４）方向に対向する対向領域（側面視において重なり合う部分）を形成するところ、角度調節によって所定の角度を形成すると（図２）、前述の対向領域の大きさ（重なり合う部分の面積）に変化が生じ、対向しない非対向領域（ＣＳ）が生成するが、常に対向領域が形成されるので、従来技術に比較して非対向領域（ＣＳ）が小さくなる。
【０００９】
言い換えると、第１プレート（１）に対して第２プレート（２）を回動し、所定の角度を形成した状態において、第２プレート（２）の前端辺（２１ｈ）のうちの下隅部（２１ｆ）と、第１プレート（１）の後端辺（１１ｈ）のうち下隅部（１１ｆ）とが除々に対向しなくなる部分が生じるので空間（ＣＳ）を形成するものの、第２プレート（２）の前端辺（２１ｈ）とのうちの隅間部（２１ｇ）及び上隅部（２１ｅ）と、第１プレート（１）の後側部（１１ｂ）が対向した状態が維持されるので、両者が対向しない空間（ＣＳ）は可及的に小さくなる。
【００１０】
すなわち、上記した従来技術のように、第１プレート（５１）と第２プレート（５２）のように重なり合いがなく、第１プレート（５１）の後端辺と第２プレート（５２）の前端辺とが距離（Ｌ）を有するものは、第１プレート（５１）に対して第２プレート（５２）が回動したときに前記距離（Ｌ）が大きくなり、第１プレート（５１）の隅部と第２プレート（５２）の隅部によって形成されるコーナー部が大きく開口して空間（Ｓ）を形成するが、これに対して本考案は、第１プレート（１）の下隅部（１１ｆ）と第２プレート（２）の下隅部（２１ｆ）によって形成されるコーナー部が小さく、大きな空間を形成しない。
【００１１】
また、本考案は、支持アーム（３）を回動可能に取り付けた第１プレート（１）と、第１プレートに回動軸（４）を介して回動可能に取り付けられ、支持アーム（３）によって所定の角度に支持される第２プレート（２）とからなるリクライニング装置であって、第１プレートの後側部（１１ｂ）と第２プレートの前側部（２１ａ）とが回動軸（４）方向に対向すると共に、第２プレート（２）の前端辺（２１ｈ）が第１プレートの後端辺（１１ｈ）よりも前方に位置する状態で連結し、第１プレートの後側部（１１ｂ）の下隅部（１１ｆ）と第２プレートの前側部（２１ａ）の下隅部（２１ｆ）を円弧状に形成したことを特徴とするリクライニング装置である。
【００１２】
このようなものであると、第１プレートの後側部（１１ｂ）の下隅部（１１ｆ）と、第２プレートの前側部（２１ａ）の下隅部（２１ｆ）の両者を円弧状に形成しているから、第１プレートの後側部（１１ｂ）の下隅部（１１ｆ）と第２プレートの前側部（２１ａ）の下隅部（２１ｆ）によって形成されるコーナー部において安全性をより高めることができる。
【００１３】
また、本考案は、前記支持アーム（３）が屈曲部を有することを特徴とするリクライニング装置である。
【００１４】
このようなものであると、所定の角度を有する状態において、支持アーム（３）の屈曲部（３５）が第１プレート（１）の上端辺と第２プレートの上端辺によって形成される内角（Ｒ）に沿うようになる。
【考案の効果】
【００１５】
このように、本考案は、リクライニング装置において、所定の角度を形成した状態において、手や指を挟みこむ危険性が小さく、安全性に優れるという効果を奏する。
【考案を実施するための最良の形態】
【００１６】
以下、本考案を実施するための最良の形態を、実施例として示す図１〜図４と共に説明する。
【実施例】
【００１７】
本実施例に係るリクライニング装置は、支持アーム３を回動可能に取り付けた第１プレート１と、第１プレート１に回動軸４を介して回動可能に取り付けられ、支持アーム３によって支持される第２プレート２とからなるリクライニング装置である。
【００１８】
具体的には、第１プレート１が例えばソファーの座部に固定され、他方、第２プレート２がソファーの背もたれ部に固定されるものである。そして、第１プレート１の後側部１１ｂと第２プレートの前側部２１ａとが回動軸４方向に対向しており、第２プレート２の前端辺２１ｈが第１プレートの後端辺１１ｈよりも前方に位置する状態で連結している。以下、各構成要素について説明する。
【００１９】
（第１プレート１）
第１プレート１はソファーやベッドなどに固定される部材であり、側板部１１と底板部１２からなる。側板部１１は略矩形状の薄板体であり、前側部１１ａと後側部１１ｂとを有する。後側部１１ｂは軸前部１１ｃと軸後部１１ｄからなり、具体的には、後側部１１ｂのうちの回動軸４よりも後方が軸後部１１ｄであり、回動軸４よりも前方が軸前部１１ｃである。
【００２０】
また、軸後部１１ｄのうち、上側の隅部が上隅部１１ｅであり、下側の隅部が下隅部１１ｆであり、両者の間が隅間部１１ｇである。上隅部１１ｅ及び下隅部１１ｆはそれぞれ円弧状に形成される。なお、上隅部１１ｅ、下隅部１１ｆ、隅間部１１ｇで前端辺１１ｈを構成する。
【００２１】
後側部１１ｂの略中央には軸孔が穿孔され、回動軸４が挿通される。なお、回動軸４は後側部１１ｂの上端辺から距離Ｌ１、後側部１１ｂの後端辺から距離Ｌ３を隔てた位置に形成される。また、後側部１１ｂの上端辺から回動軸４までの距離Ｌ１は、回動軸４から後側部１１ｂの下端辺までの距離Ｌ２よりも短い。
【００２２】
前側部１１ａにはアーム回動軸１３とアーム回動軸１３の軸止部１３ａが形成される。アーム回動軸１３は支持アーム３を回動可能にするための回動軸であり、円柱状の部材であって前側部１１ａの上側に位置する。なお、その位置は回動軸４の上下位置よりも若干上方にある。
【００２３】
軸止部１３ａは、アーム回動軸１３に挿入された支持アーム３の抜け出しを防止する断面Ｌ字状の部材であってアーム回動軸１３と結合している。アーム回動軸１３に挿入された支持アーム３は、軸止部１３ａと側板部１１との間に位置している。
【００２４】
底板部１２は側板部１１の下端に直交する方向に形成された薄板体である。底板部１２には孔１２ａが穿孔されており、孔１２ａには弾性体１４の一端が取り付けられる。
【００２５】
（第２プレート２）
第２プレート２はソファーやベッドなどに固定される部材であり、側板部２１と底板部２２からなる。側板部２１は略矩形状の薄板体であり、前側部２１ａと後側部２１ｂとを有する。前側部２１ａは軸前部２１ｃと軸後部２１ｄとからなり、具体的には、前側部２１ａのうちの回動軸４よりも後方が軸後部２１ｄであり、回動軸４よりも前方が軸前部２１ｃである。また、軸前部２１ｃのうち、上側の隅部が上隅部２１ｅであり、下側の隅部が下隅部２１ｆであり、両者の間が隅間部２１ｇである。これら上隅部２１ｅ及び下隅部２１ｆはそれぞれ円弧状に形成される。なお、上隅部２１ｅ、下隅部２１ｆ、隅間部２１ｇで前端辺２１ｈを構成する。
【００２６】
前側部２１ａの略中央には軸孔が穿孔され、回動軸４が挿通される。つまり回動軸４は第１プレート１の後側部１１ｂと前側部２１ａの両者を貫通する。なお、回動軸４は、前側部２１ａの上端辺から距離Ｌ１、前側部２１ａの前端辺から距離Ｌ４を隔てた位置に形成される。また、前側部２１ａの上端辺から回動軸４までの距離Ｌ１は、回動軸４から前側部２１ａの下端辺までの距離Ｌ２よりも短い。
【００２７】
後側部２１ｂには、後側部２１ｂに固定されたアーム係止軸２３と軸止部２３ａが形成される。アーム係止軸２３は略円柱状の部材であり、後側部２１ｂの上側に位置している。前側部２１ａに形成された回動軸４の上下位置と略同じ位置にある。軸止部２３ａは断面Ｌ字状の部材であり、回動軸４の一端と結合している。
なお、底板部２２は、側板部２１の下端に直交する方向に形成された薄板体である。
【００２８】
（支持アーム部３）
支持アーム３は側面視略Ｌ字状の部材であり、基部３１と、先部３２と、屈曲部３５とからなる。基部３１はアーム回動軸１３と連結する部分であり、軸孔が穿孔され、軸孔にアーム回動軸１３が挿入される。また、基部３１には取付孔３１ｂが穿孔されており、取付孔３１ｂには弾性体１４の一端が取り付けられる。
【００２９】
先部３２は、先端部３２ａ、第１凸部３２ｂ、第１凹部３２ｃ、第２凸部３２ｄ、第２凹部３２ｅが形成される。また、先部３２には第１可動凸部３３と、第２可動凸部３４が回動可能に取り付けられる。第１可動凸部３３は、第１ストッパ部３３ａと、第２ストッパ部３３ｂと、案内部３３ｃとを有し、軸３３ｄを介して回動可能に先部３２に取り付けられる。第２可動凸部３４は、第１ストッパ部３４ａと、第２ストッパ部３４ｂと、案内部３４ｃとを有し、軸３４ｄを介して回動可能に先部３２に取り付けられる。また、先部３２には断面Ｌ字状の軸止部３６が取り付けられており、これは軸３３ｃと軸３４ｃを固定すると共に、第１ストッパ部３３ａ及び第２ストッパ部３３ｂ等と当接することによりストッパ機能（可動凸部の回動を停止する機能）を奏する。
【００３０】
なお、本実施例においては、回動軸４、アーム回動軸１３およびアーム係止軸２３が第１プレート１及び第２プレート２の上側に位置しており、言い換えると、図１のとおりそれぞれがほぼ水平に位置している。この構成を利用すれば、上下高さの小さなリクライニング装置を実現できる。すなわち、図１の構成において、支持アームの形状を細長略矩形状（上下幅の小さい直線状の細幅な支持アーム）とすれば、第１プレート１及び第２プレートの上下幅を小さくできる。
【００３１】
なお、第１プレート１の前側部１１ａと後側部１１ｂとの比率（長さ）は６．５：３．５であり、第２プレート２の前側部２１ａと後側部２１ｂとの比率は３．５：６．５である。
【００３２】
（初期状態から角度を有する状態への移行）
図１に初期状態を示すが、初期状態から所定の角度に調節するべく、第２プレート２を図中時計回り方向に回動すると（例えば第２プレート２が固定されたソファーの背もたれ部を起こすと）、第２プレート２に形成されたアーム係止軸２３も円軌跡を描いて回動するため、アーム係止軸２３上に位置する支持アーム３が押圧され、支持アーム３はアーム回動軸１３を中心として回動する。そうすると、アーム係止軸２３が支持アーム３の先端部３２ａを離れ、次いで第１凸部３２ｂを超え、第１凹部３２ｃに位置するようになり、アーム支持軸２３と第１凹部３２ｃとが係止する。このようにして、初期状態から図２に示す第１の角度を有する状態に移行する（図３）。このとき、支持アーム３は屈曲部３５を有するので、支持アーム３の外郭（屈曲部３５）が第１プレートの上端辺と第２プレートの上端辺によって形成される内角Ｒに沿うようになるので、たとえばソファーであれば、着席した人体の腰部への干渉（接触）が可及的に回避できるので好ましい。
【００３３】
第１の角度をよりさらに急角度の第２の角度（図４）に移行するには、第１の角度を有する状態（図３）から第２プレート２をさらに回動する。すなわち、回動軸４を中心として第２プレート２が図中時計回り方向に回動すると、第２プレート２に形成されたアーム係止軸２３も回動するため、アーム係止軸２３に当接している支持アーム３も上方へ押圧されることになり、支持アーム３がアーム回動軸１３を中心として回動する。そして、アーム係止軸２３は、第１凹部３２ｃを離れ、第１可動凸部３３及び第２凸部３２ｄを超え、第２凹部３２ｅに位置し、アーム係止軸２３と第２凹部３２ｅとが係止する。このようにして第２の角度に移行する。このとき、支持アーム３は屈曲部３５を有するので、支持アーム３の外郭（屈曲部３５）が第１プレートの上端辺と第２プレートの上端辺によって形成される内角Ｒに沿うようになる。
【００３４】
第１の角度状態においては、図２に示すとおり、第１プレート１に対して第２プレート２が傾斜した状態になる。この状態において、第１プレート１の下隅部１１ｆと、第２プレート２の下隅部２１ｆによってリクライニング装置のコーナー部Ｃを形成する。このとき、下隅部１１ｆと下隅部２１ｆとの交点Ｃ３と、下隅部１１ｆの点Ｃ１と、下隅部２１ｆの点Ｃ２の３点によって囲まれる空間ＣＳが形成される。空間ＣＳはコーナー部Ｃの深さＤを有するへこみである。深さＤは、下隅部１１ｆの点Ｃ１と下隅部２１ｆの点Ｃ２を繋ぐ線分をＷ１、回動軸４と交点Ｃ３の両点を貫く線分をＷ２、線分Ｗ１と線分Ｗ２の交点をＣ４とすると、点Ｃ３と点Ｃ４の距離である。
【００３５】
本実施例の実寸は、第１プレート１及び第２プレート２の前後長は約１４．５ｃｍ、上下高は約７ｃｍであるところ、Ｌ１は約２．５ｃｍ、Ｌ２は約４．５ｃｍ、Ｌ３及びＬ４は約２ｃｍ、Ｗ１は約１ｃｍ、Ｄは約３ｍｍである。
【００３６】
次に、第２の角度状態においては、図３に示すとおり、第１プレート１に対して第２プレート２が略直交する方向に立ち上がり、第１プレート１と第２プレート２とによって略Ｌ字状の様相を呈する。この状態において、第１プレート１の下隅部１１ｆと、第２プレート２の下隅部２１ｆによってリクライニング装置のコーナー部Ｃを形成する。このとき、下隅部１１ｆと下隅部２１ｆとの交点Ｃ３と、下隅部１１ｆの点Ｃ１と、下隅部２１ｆの点Ｃ２の３点によって囲まれる空間ＣＳが形成される。空間ＣＳはコーナー部Ｃの凹みであって深さＤを有する。深さＤは、下隅部１１ｆの点Ｃ１と下隅部２１ｆの点Ｃ２を繋ぐ線分をＷ１、回動軸４と交点Ｃ３の両点を貫く線分をＷ２、線分Ｗ１と線分Ｗ２の交点をＣ４とすると、点Ｃ３と点Ｃ４の距離である。
【００３７】
この状態における本実施例の実寸は、Ｗ１は約３ｃｍ、Ｄは約５ｍｍである。
【００３８】
（第２の角度から初期状態へ）
第２の角度を有する状態においては、支持アーム３の第２凹部３２ｅがアーム係止軸２３に係止している。この状態から、第２プレート２を図中時計回り方向に回動すると、アーム係止軸２３が第２可動凸部３４を押圧する。押圧された第２可動凸部３４は軸３４ｄを中心に回動し、アーム係止軸２３は第２可動凸部３４を越える（このとき、係止軸３と支持アーム３とは係止していない）。次いで、前記とは逆回り、即ち第２プレート２を前記とは逆方向に回動すると、アーム係止軸２３が第２可動凸部３４を押圧する。押圧された第２可動凸部３４は軸３４ｄを中心に回動して、第２可動凸部３４は第２凹部３２ｅを塞ぐ（このとき、第２可動凸部３４のストッパ部３４ａが軸止部３６の上面と当接している。）。第２凹部３２ｅが第２可動凸部３４によって塞がれているので、アーム係止軸２３は、第２凹部３２ｅに係止することなく、案内部３４ｃに沿って第２凸部３２ｄを越える。さらに、第２プレート２の回動が進むと、アーム係止軸２３が第１可動凸部３３を押圧する。押圧された第１可動凸部３３は軸３３ｄを中心に回動して、第１可動凸部３３は第１凹部３２ｃを塞ぐ（このとき、第１可動凸部３３のストッパ部３３ａが軸止部３６の上面と当接している。）。第１凹部３２ｃが第１可動凸部３３によって塞がれているので、アーム係止軸２３は、第１凹部３２ｃに係止することなく、案内部３３ｃに沿って第２凸部３２ｄを越え、先端部３２ａに至る。なお、弾性体１４によって支持アーム３は図中反時計回り方向に常に付勢されている。
【００３９】
このようにして、第２角度状態から初期状態へと移行する。
【図面の簡単な説明】
【００４０】
【図１】本考案の実施例の側面図（初期状態）
【図２】本考案の実施例の正面図（初期状態）
【図３】本考案の実施例の側面図（第１の角度を有する状態）
【図４】本考案の実施例の正面図（第２の角度を有する状態））
【図５】従来技術の側面図（初期状態）
【図６】従来技術の側面図（角度を有する状態）
【符号の説明】
【００４１】
１  第１プレート
２  第２プレート
３  支持アーム
４  回動軸
【図１】
0003123151.tif 000003
【図２】
0003123151.tif 000004
【図３】
0003123151.tif 000005
【図４】
0003123151.tif 000006
【図５】
0003123151.tif 000007
【図６】
0003123151.tif 000008